(57)【要約】  プロセッサ手段とユーザ・インタフェースとを備える移動通信装置が開示される。上記ユーザ・インタフェースは、ディスプレイおよび入力手段を備える。上記入力手段は、上記ディスプレイ上に呈示されるべく配置された複数の選択可能項目から所定項目を選択する当該回転入力手段の角度的移動に従い角度的移動信号を提供すべく配置された回転入力手段を備え、上記選択可能項目の内の一個以上の項目に対してはフィードバック信号が組み合わされ、且つ、上記回転入力手段は、フィードバック信号に組み合わされた上記項目に関する位置へと上記回転入力手段を操作するときにユーザに対して上記フィードバック信号に従うフィードバックを提供すべく配置される。上記移動通信装置のための入力方法も開示される。
2008518539.tif 000002
【特許請求の範囲】
【請求項１】
プロセッサ手段とユーザ・インタフェースとを備える移動通信装置であって、上記インタフェースはディスプレイおよび入力手段を備え、上記入力手段は、上記ディスプレイ上に呈示されるべく配置された複数の選択可能項目から所定項目を選択する当該回転入力手段の角度的移動に従い角度的移動信号を提供すべく配置された回転入力手段を備え、上記選択可能項目の内の一個以上の項目に対してはフィードバック信号が組み合わされ、上記回転入力手段は、フィードバック信号に組み合わされた上記項目に関する位置へと上記回転入力手段を操作するときにユーザに対して上記フィードバック信号に従うフィードバックを提供すべく配置される、移動通信装置。
【請求項２】
前記フィードバック信号は前記フィードバックがグラフィック的に呈示される如くグラフィック的表現を行う、請求項１記載の移動通信装置。
【請求項３】
前記グラフィック的に呈示されるフィードバックは、前記回転入力手段における視覚的マークであってフィードバック信号に組み合わされた項目に関する位置に対応する視覚的マークであり、上記項目は前回において選択された項目から成る、請求項２記載の移動通信装置。
【請求項４】
前記グラフィック的に呈示されるフィードバックは、前記回転入力手段のマーク付き領域であってフィードバック信号に組み合わされた一群の項目に関する位置に対応するマーク付き領域である、請求項２記載の移動通信装置。
【請求項５】
前記フィードバック信号は前記フィードバックが触感的である如く触感的表現を行う、請求項１記載の移動通信装置。
【請求項６】
前記触感的フィードバックはフィードバック信号に組み合わされた項目に関する位置に対応し、上記項目は前回において選択された項目から成る、請求項５記載の移動通信装置。
【請求項７】
前記触感的フィードバックは前記選択可能項目のリストの終端項目に関する位置に対応する、請求項５記載の移動通信装置。
【請求項８】
前記フィードバック信号は前記フィードバックが音響である如く音響的表現を行う、請求項１記載の移動通信装置。
【請求項９】
前記音響的フィードバックはフィードバック信号に組み合わされた項目に関する位置に対応し、上記項目は前回において選択された項目から成る、請求項８記載の移動通信装置。
【請求項１０】
前記音響的フィードバックは前記選択可能項目のリストの終端項目に関する位置に対応する、請求項８記載の移動通信装置。
【請求項１１】
プロセッサ手段とユーザ・インタフェースとを備える移動通信装置であって、上記インタフェースはディスプレイおよび入力手段を備え、上記入力手段は、当該回転入力手段の角度的移動に従い角度的移動信号を提供すべく配置された回転入力手段を備えるという移動通信装置のための入力方法であって、
複数の選択可能項目の内から複数の項目を上記ディスプレイ上に呈示する段階であって、上記選択可能項目の内の一個以上の項目はフィードバック信号と組み合わされるという段階と、
上記フィードバック信号に従いフィードバックを提供する段階と、
上記複数の選択可能項目の内の１個の項目の選択に対応する入力を上記回転入力手段により受信する段階と、
を備えて成る入力方法。
【請求項１２】
前記フィードバックを提供する段階は、前記回転入力手段においてグラフィック的表現を提供する段階から成る、請求項１１記載の方法。
【請求項１３】
前記グラフィック的表現は、前記回転入力手段の所定位置であって上記回転入力手段により実施された前回選択に対応する所定位置における視覚的マークである、請求項１２記載の方法。
【請求項１４】
前記グラフィック的表現は、前記回転入力手段におけるマーク付き領域であって選択可能項目の所定区分に対応するマーク付き領域である、請求項１２記載の方法。
【請求項１５】
前記フィードバックを提供する段階は、前記回転入力手段の回転抵抗を一時的に増大する段階から成る、請求項１１記載の方法。
【請求項１６】
前記回転抵抗の一時的増大は、前記回転入力手段の所定位置であって該回転入力手段により実施された前回選択に対応する所定位置に対応する、請求項１５記載の方法。
【請求項１７】
前記回転抵抗の一時的増大は、前記回転入力手段の所定位置であって前記複数の選択可能項目のリストの終端に対応する所定位置に対応する、請求項１５記載の方法。
【請求項１８】
前記フィードバックを提供する段階は音響を呈示する段階から成る、請求項１１記載の方法。
【請求項１９】
前記音響の呈示は、前記回転入力手段の所定位置であって該回転入力手段により実施された前回選択に対応する所定位置に対応する、請求項１８記載の方法。
【請求項２０】
前記音響の呈示は、前記回転入力手段の所定位置であって前記複数の選択可能項目のリストの終端に対応する所定位置に対応する、請求項１８記載の方法。
【請求項２１】
前記フィードバックを提供する段階は振動を生成する段階から成る、請求項１１記載の方法。
【請求項２２】
前記振動の生成は、前記回転入力手段の所定位置であって該回転入力手段により実施された前回選択に対応する位置に対応する、請求項２１記載の方法。
【請求項２３】
前記振動の生成は、前記回転入力手段の所定位置であって前記複数の選択可能項目のリストの終端に対応する所定位置に対応する、請求項２２記載の方法。
【発明の詳細な説明】
【技術分野】
【０００１】
本発明は、フィードバックを伴う回転入力手段を備えた移動通信装置、および、斯かる移動通信装置に対する入力方法に関する。
【背景技術】
【０００２】
言及したことにより本明細書中に援用される WO 02/39712 A2 は、テレビジョン・システムにおけるディスプレイ上のメニューを制御する画像制御システムを開示している。上記メニューは、同時に表示される複数のメニュー項目から成る。上記メニューから項目を選択するために、セレクタが配置される。ユーザ入力デバイスは、上記メニューに対して上記セレクタを移動させる制御信号を生成する制御デバイスを備える。更に、回転可能な制御器が開示され、その場合に該制御器が回転されると上記メニューが対応して回転される。代替的に、メニュー画面上には、ユーザが上記制御デバイスを操作するにつれて上記メニュー項目に追随するカーソルが視認される。
【０００３】
上記のWO 02/39712 A2 は、更に、移動電話メニューに対する適用可能性を開示している。電話送受話器の画面上のメニューは、２次元の円として示される。而して、上記送受話器の前面上には回転ダイアルが配備される。上記送受話器は移動電話の通常の特徴を有すると共に、上記前面上に位置された上記回転ダイアルが付加されている。移動電話の送受話器のメニューを起動すると、上記ダイアルは上記テレビジョン・システムに関して上述された制御デバイスと同様に動作する。当然乍ら、テレビジョンにおける如きリモコン信号の送信は無く、寧ろ信号は上記送受話器内におけるディスプレイに対して結合される。上記メニューから項目を選択するためにユーザは、カーソルが所望のメニュー項目に組み合わされるべく移動されるまで、または、移動電話の送受話器の画面上のセレクタ領域に所望の項目が整列するまで、上記ダイアルを回転させる。
【０００４】
移動通信装置は複数のアプリケーションに対して使用されることから、便利な操作のためには高度な適合性が必要とされる。WO 02/39712 に示された解決策は、非常に単純で静的なメニューの操作には適している。しかし移動電話の送受話器は幾つかのアプリケーションを含むと共にアプリケーションの個数は増加しつつあることから、この回転入力デバイスは最新式の移動通信装置に対しては十分でない。
【０００５】
最新式の通信装置における複数の機能は、ユーザ・インタフェースが相当の規模のメニューを備えることを意味する。複雑さが増し乍らも通信装置の使い易さを維持するためには、メニューからの選択性が改善されねばならない。
【発明の開示】
【発明が解決しようとする課題】
【０００６】
故に本発明の目的は、メニューからの選択性が改善された移動通信装置および入力方法を提供するに在る。
【課題を解決するための手段】
【０００７】
上記目的は、本発明の第１の見地に依れば、プロセッサ手段とユーザ・インタフェースとを備える移動通信装置により達成される。上記ユーザ・インタフェースはディスプレイおよび入力手段を備える。上記入力手段は、上記ディスプレイ上に呈示されるべく配置された複数の選択可能項目から所定項目を選択する当該回転入力手段の角度的移動に従い角度的移動信号を提供すべく配置された回転入力手段を備え、上記選択可能項目の内の一個以上の項目に対してはフィードバック信号が組み合わされ、上記回転入力手段は、フィードバック信号に組み合わされた上記項目に関する位置へと上記回転入力手段を操作するときにユーザに対して上記フィードバック信号に従うフィードバックを提供すべく配置される。
【０００８】
回転入力手段は、回転方向および角度的移動に依存して入力信号を提供するセンサを備えた制御ホィールである。
【０００９】
これによる利点は、メニューなどの一定の項目がユーザにより更に容易に見出され得ることである。
【００１０】
上記フィードバック信号は、上記フィードバックがグラフィック的に呈示される如くグラフィック的表現を行い得る。上記グラフィック的に呈示されるフィードバックは、上記回転入力手段における視覚的マークであってフィードバック信号に組み合わされた項目に関する位置に対応する視覚的マークであり得、上記項目は前回において選択された項目から成る。
【００１１】
これによる利点は、既知の項目をユーザが更に容易に見出し得ることである。
【００１２】
上記グラフィック的に呈示されるフィードバックは、上記回転入力手段のマーク付き領域であってフィードバック信号に組み合わされた一群の項目に関する位置に対応するマーク付き領域であり得る。
【００１３】
これによる利点は、ユーザがたとえば一定種類の複数の項目を更に容易に見出し得ることである。
【００１４】
上記フィードバック信号は上記フィードバックが触感的である如く触感的表現を行い得る。上記フィードバック信号は上記フィードバックが音響である如く音響的表現を行い得る。上記フィードバックは、前回において選択された項目、または、選択可能項目のリストの終端項目に対応し得る。
【００１５】
上記目的は、本発明の第２の見地に依れば、プロセッサ手段とユーザ・インタフェースとを備える移動通信装置のための入力方法により達成される。上記ユーザ・インタフェースは、ディスプレイおよび入力手段を備え得る。上記入力手段は、当該回転入力手段の角度的移動に従い角度的移動信号を提供すべく配置された回転入力手段を備える。上記方法は、複数の選択可能項目の内から複数の項目を上記ディスプレイ上に呈示する段階であって、上記選択可能項目の内の一個以上の項目はフィードバック信号と組み合わされるという段階と、上記フィードバック信号に従いフィードバックを提供する段階と、上記複数の選択可能項目の内の１個の項目の選択に対応する入力を上記回転入力手段により受信する段階と、を備える。
【００１６】
上記フィードバックを提供する段階は、上記回転入力手段においてグラフィック的表現を提供する段階から成り得る。上記グラフィック的表現は、上記回転入力手段の所定位置であって上記回転入力手段により実施された前回選択に対応する所定位置における視覚的マークであり得る。上記グラフィック的表現は、上記回転入力手段におけるマーク付き領域であって選択可能項目の所定区分に対応するマーク付き領域であり得る。
【００１７】
上記フィードバックを提供する段階は、上記回転入力手段の回転抵抗を一時的に増大する段階から成り得る。上記回転抵抗の一時的増大は、上記回転入力手段の所定位置であって該回転入力手段により実施された前回選択に対応する所定位置に対応し得る。上記回転抵抗の一時的増大は、上記回転入力手段の所定位置であって上記複数の選択可能項目のリストの終端に対応する所定位置に対応し得る。
【００１８】
上記フィードバックを提供する段階は音響を呈示し又は振動を生成する段階から成り得る。上記フィードバックの提供は、上記回転入力手段の所定位置であって、該回転入力手段により実施された前回選択に対応する所定位置、または、上記複数の選択可能項目のリスト終端に対応する所定位置に対応し得る。
【００１９】
本発明の上記第２の見地の利点は、本発明の上記第１の見地の利点と本質的に同一である。
【００２０】
上記の特徴の全てまたは幾つかは、メニューからの選択性が改善された便利なユーザ・インタフェースを提供するために任意の組合せで使用され得る。
【００２１】
本発明の新規な特徴は、添付の各請求項に示される。但し、本発明、ならびに好適な使用形態、本発明の更なる目的および利点は、添付図面と組み合わせて以下の代表的実施例の詳細な説明を参照することにより最適に理解される。
【発明を実施するための最良の形態】
【００２２】
図１は、ディスプレイ１０２と回転入力手段１０４とを備える移動通信装置１００を示している。上記移動通信装置は更に、複数のキー１０６、スピーカ１０８、マイクロホン１１０、アンテナ１１２、および、該移動通信装置１００の全ての機能およびデバイスを制御する（不図示の）プロセッサを備える。これらの機能の内で、主要機能はユーザ・インタフェースである。移動通信装置においてユーザ・インタフェースを実現する一般的な手法は、複数の項目の中からユーザが選択を行い得るメニュー１１４である。各項目は、ディスプレイ１０２上に呈示されると共に、テキスト・リスト、複数のアイコン、または、複数のタブ、または、それらの任意の組み合わせとされ得る。移動通信装置が更に複雑となるにつれてメニューは更に複雑となる一方、実現可能な移動通信装置１００のサイズは限られていることから、ディスプレイ１０２のサイズは限定される。多くの場合にこれは、上記ディスプレイ内に同時に全ての項目が表示はされ得ないことを意味する。故に、各項目の内のどの部分が示されているのかに関する一定の表示が必要とされる。これを表示するひとつの手法は、スクロール・バー１１６を使用することである。但し、ユーザがメニュー内で幾つかの項目を見出すことを更に容易とし得るために回転入力手段１０４は、ユーザが該回転入力手段１０４を旋回させる上で大きな抵抗を感知する如く触感的フィードバックを備えている。代替的にまたは付加的に、（不図示の）ブザーもしくはスピーカ１０８により音響が呈示可能であり、且つ／又は、上記移動通信装置の振動機能もフィードバックを提供し得る。上記触感的、音響的または振動的フィードバックによれば、前回において選択された項目がスクロールの間に通過もしくは到達された時点、リストの終端が通過もしくは到達された時点、または、各項目の一定の部分が通過もしくは到達された時点が明らかとなり得る。触感的フィードバックを以て発せられる項目は、移動通信装置の想記用途に依存して、事前設定され、ユーザの設定により選択可能であり、または、動的とされ得る。
【００２３】
図２は、図１に示された移動通信装置と同様であると共にディスプレイ２０２および回転入力手段２０４を備えた本発明の実施例に係る移動通信装置２００を示している。但し、メニュー内における一定の項目をユーザが更に容易に見出し得るべく、回転入力手段２０４はグラフィック的フィードバックを備えている。該グラフィック的フィードバックは、固定位置を表す第１マーカ２０６と、メニュー内の一定の項目に対応する上記回転入力手段の位置を表す第２マーカ２０８と、を備え得る。上記一定の項目に到達するためにユーザは、第１および第２マーカ２０６、２０８の角度的位置が対応する如く上記回転入力手段を旋回させねばならない。上記グラフィック的フィードバックは、触感的、音響的および／または振動的フィードバックと組み合わされ得る。
【００２４】
図３は、本発明の更なる実施例に係る移動通信装置３００を示している。此処でグラフィック的フィードバックは、固定位置を表す第１マーカ３０２、および、メニュー内の一定の項目に対応する回転入力手段の位置を各々が表す第２および第３マーカ３０４、３０６を備えている。第２および第３マーカ３０４、３０６の視覚的外観は、たとえば異なる色または異なるパターンにより相違している。たとえば第２マーカ３０４は前回において使用された項目に対応する角度的位置を表し得ると共に、第３マーカ３０６はリストの終端に対応する角度的位置を表し得る。上記グラフィック的フィードバックは、触感的、音響的および／または振動的フィードバックと組み合わされ得る。
【００２５】
図４は、本発明の更なる実施例に係る移動通信装置４００を示している。此処でグラフィック的フィードバックは、選択可能項目の一定の区分に対応するマーク付き領域４０２を備える。たとえば上記項目の区分はメッセージ関連サービスとされ得ることで、迅速な到達のために便利であり得る。たとえば異なる色もしくはパターンなどの類似のまたは異なる手法で、ひとつ以上の領域がマーク付けされ得る。上記グラフィック的フィードバックは、触感的、音響的および／または振動的フィードバックと組み合わされ得る。
【００２６】
図１乃至図４は、回転入力手段に対する複数のフィードバック代替策を示すべく使用された。但し本発明の実施例は、これらのフィードバック代替策の組み合わせである。たとえば、ひとつもしくは幾つかの項目は音響的フィードバックと組み合わせ可能であり、別のひとつもしくは幾つかの項目は触感的フィードバックと組み合わせ可能であり、別の項目は振動フィードバックと組み合わされ得るなどである。幾つかの項目は、上述のフィードバック代替策の内の２つ以上と組み合わされ得る。
【００２７】
上述の各実施例のマーカは、上記回転入力手段に対する透明な輪状パッドを用いて実現される。該輪状パッドの下方には、アドレス指定可能なインディケータが配備される。上記移動通信装置の上記プロセッサの制御により種々の箇所をアドレス指定することにより、上記各マーカは、上記輪状パッドの実際位置に関する一定の項目の角度的位置に従い配備される。
【００２８】
図５は、回転入力手段５００の実施形態を概略的に示している。該実施形態は、輪状パッド５０２と、該輪状パッド５０２の角度的移動を検出するセンサ５０４と、プロセッサ５０６とを備えている。輪状パッド５０２が任意の方向に回転されたときにセンサ５０４は、輪状パッド５０２がどの方向にどれだけ回転されたかを検出する。それに応じてセンサ５０４は信号を生成し、該信号をプロセッサ５０６に対して送信する。上記プロセッサはそれに応じて選択可能項目に組み合わされたフィードバック信号を出力すると共に、該フィードバック信号は、上記輪状パッドの下方における（不図示の）アドレス指定可能インディケータによるマーカの提供を制御し、または、上記輪状パッドの回転抵抗を増大しもしくは振動機能あるいは音響呈示を起動することにより触感的フィードバックの提供を制御する。抵抗の増大は、センサ５０４内に一体化された手段により、または、電磁的起動などによる（不図示の）別体的手段により実現され得る。
【００２９】
図６は、本発明の実施例に係る方法のフローチャートを示している。メニュー呈示段階６０２においては移動通信装置のディスプレイ上に、メニューが、または、該メニューの内でディスプレイ内に適合するだけの部分が呈示される。上記メニューは、テキスト、アイコン、タブなどから成り得ると共に、上記移動通信装置のプロセッサにより提供される。フィードバック提供段階６０４においては、上記回転入力手段の角度的位置とメニュー内の一定の項目の位置とに依存し、触感的および／または視覚的なフィードバックによりユーザに対してフィードバックが提供される。入力受信段階６０６においては、ユーザによりメニュー内の項目の選択が実施される。段階６０２、６０４、６０６の順序は、何らかのタイミング的制約を以て考慮されるべきでない。逆に、この実施例の形態によればステップ６０２、６０４、６０６は、リアルタイム操作の場合と同様に、任意の順序で、時々に応じ、且つ、多くの場合には並列的に実施される。
【００３０】
図７は、図６のフィードバック提供段階６０４の下位段階のフローチャートを示している。位置決定段階７０２においては、メニューの一個以上の一定の項目に対応する一個以上の位置、または、所定範囲の位置に対応する一個以上の領域が決定される。上記各位置は、回転入力手段の輪状パッドの角度的位置として表現される。位置マーク付け段階７０４においては、上記一個以上の位置、または、所定範囲の位置に対応する上記一個以上の領域がフィードバックのためにマーク付けされる。図３および図４に関して上記で説明された如く、種々の位置が種々の様式でマーク付けされ得る。上記位置はまた、増大された回転抵抗または起動された振動機能の如き触感的フィードバックに対してもマーク付けされ得る。音響マーカを設定することも可能である。
【図面の簡単な説明】
【００３１】
【図１】図１は、触感的フィードバックを伴う回転入力手段を備える本発明の一実施例に係る移動通信装置を示す図である。
【図２】図２は、視覚的フィードバックを伴う回転入力手段を備える本発明の別実施例に係る移動通信装置を示す図である。
【図３】図３は、視覚的フィードバックを伴う回転入力手段を備える本発明の別実施例に係る移動通信装置を示す図である。
【図４】図４は、視覚的フィードバックを伴う回転入力手段を備える本発明の別実施例に係る移動通信装置を示す図である。
【図５】図５は、回転入力手段の概略図である。
【図６】図６は、本発明の一実施例に係る入力方法のフローチャートである。
【図７】図７は、フィードバックを実現する下位段階のフローチャートである。
【図１】
2008518539.tif 000003
【図２】
2008518539.tif 000004
【図３】
2008518539.tif 000005
【図４】
2008518539.tif 000006
【図５】
2008518539.tif 000007
【図６】
2008518539.tif 000008
【図７】
2008518539.tif 000009
【国際調査報告】
2008518539.tif 000010
2008518539.tif 000011
2008518539.tif 000012